(57)【要約】　　　（修正有）【課題】電気コンタクトの塵、汚染物質、消耗等による電気接合の改善に関する。【解決手段】電気コネクタは絶縁性ハウジングと、複数の導電性端子と、カバー体で構成される。カバー体は、絶縁性ハウジングに対して第一の位置と、第二の位置と、第三の位置との間でユーザによって移動され、カバー体が第一の位置から第二の位置に移動された時に、電子カードの電気コンタクトと導電性端子のコンタクト部が互いに対して押し付けられる。カバー体が第二の位置から第三の位置に移動された時に、電子カードはカバー体と同時に移動し、電子カードの電気コンタクトと導電性端子のコンタクト部が短距離の相対動作を介して互いに摩擦接合し、塵または汚染物質が拭掃される。これにより、電気コンタクトとコンタクト部との電気接続の信頼性が増大される。【選択図】　　図３
2004039623.tif 000002
【特許請求の範囲】
【請求項１】
複数の電気コンタクトを有している回路基板を電子カードに電気接続する電気コネクタであって、該電気コネクタは、
前記電子カードと接合する接合面と、前記回路基板と接続する接続面と、対向する第一および第二の横側面を有し、前記接合面と前記接続面との間に配置される複数の端子通路を有し、第一の方向と該第一の方向に対して角度をなす第二の方向を規定する絶縁性ハウジングと、
それぞれが前記接合面から突出するコンタクト部と、前記接続面から突出して前記回路基板に電気接続する係合部を有しており、前記通路の内側にそれぞれ収容される複数の導電性端子と、
前記絶縁性ハウジングに回動可能に取り付けられ、前記絶縁性ハウジングの前記接合面と協働して前記電子カードを挿入する収容スペースを規定するカバー体と、
前記絶縁性ハウジングに配置される第一の要素と、前記カバー体に対応して配置される第二の要素を有しており、前記第一の要素と前記第二の要素が可動に係合する保持装置で構成され、該保持装置を介して、前記カバー体は、前記絶縁性ハウジングに対して前記第二の方向に沿った第一の位置と前記第一の方向に沿った第二の位置との間で回動することができることを特徴とする電気コネクタ。
【請求項２】
前記絶縁性ハウジングに配置される第三の要素と、前記カバー体に配置される第四の要素で構成される少なくとも一つの制限装置を有しており、前記カバー体が前記第一と第二と第三の位置にある時に、前記カバー体は前記第三と第四の要素間で摩擦を介して位置決めされ、前記電子カードが前記導電性端子の前記コンタクト部に電気接続されることを特徴とする請求項１に記載の電気コネクタ。
【請求項３】
前記カバー体は、前記絶縁性ハウジングの前記接合面に近接する上壁と、該上壁に連接され前記絶縁性ハウジングの前記第一の横側面に近接する第一の側壁と、前記上壁に連接され前記絶縁性ハウジングの前記第二の横側面に近接する第二の側壁を有しており、前記絶縁性ハウジングは前記第一の方向に沿って第一端と後端を形成することを特徴とする請求項２に記載の電気コネクタ。
【請求項４】
前記保持装置の前記第一の要素は、前記絶縁性ハウジングの前記第一および第二の横側面にそれぞれ形成される二つのガイド孔から成り、各該ガイド孔は、前記第一の方向に対して平行に対向する第一および第二の端部を有しており、前記第二の要素は、前記カバー体の第一および第二の側壁にそれぞれ配置される二つの突出スピンドルから成り、該突出スピンドルは前記ガイド孔にそれぞれ収容され、回動中心としての機能を果たす前記突出スピンドルを有する前記カバー体が、前記絶縁性ハウジングに対して回転可能であり、前記ガイド孔の前記第一の端部と前記第二の端部との間で可動であり、前記第一と前記第二と前記第三の位置との間で移動可能であることを特徴とする請求項３に記載の電気コネクタ。
【請求項５】
前記制限装置の前記第三の要素は、前記絶縁性ハウジングの前記第一の横側面に突出する第一の位置決め装置から成り、該第一の位置決め装置は、前記接合面に近接する第一の側面と、前記接続面に近接する第二の側面と、前記後端に近接する第三の側面と、前記第二および第三の側面に隣接する切り欠き部を有しており、前記制限装置の前記第四の要素は、前記カバー体の前記第一の側壁に対応して配置される第一の係合部から成り、該第一の係合部は、前記絶縁性ハウジングの前端に近接して形成されたノッチであって、前記接合面に近接する第一の内側面と、前記接続面に近接する第二の内側面と、角係合端として形成された前記後端に近接する第三の内側面が形成されており、前記カバー体が前記第一の位置にある時に、前記第一の係合部の前記角係合端は、前記カバー体が前記絶縁性ハウジングから離間する方向に回転するのを制限するように前記切り欠き部に係合し、前記カバー体が前記第二の位置にある時に、前記第一の係合部の前記第一の内側面が、前記第一の位置決め装置の前記第一の側面に対して当接して係止され、前記カバー体が前記第三の位置にある時に、前記第一の係合部の前記第一の内側面と、前記第二の内側面と、前記第三の内側面が、前記第一の位置決め装置の前記第一の側面と、前記第二の側面と、前記第三の側面に対してそれぞれ当接して位置決めされることを特徴とする請求項３に記載の電気コネクタ。
【請求項６】
前記制限装置の前記第三の要素は、前記絶縁性ハウジングの前記第一の横側面から突出する第二の位置決め装置から成り、該第二の位置決め装置は、前記第一の方向に沿って延びる前記接続面に近接するブロッキング側面を有し、
前記制限装置の前記第四の要素は、前記カバー体の前記第一の側壁に配置される第二の係合部であって、該第二の係合部には前記ブロッキング側面に対応する当接側面が形成されており、
前記カバー体が前記第一の位置から第二の位置に回転した時に、前記当接側面は前記カバー体の移動を制限するように前記ブロッキング側面に対して当接し、前記当接側面は前記ブロッキング側面に対して前記第一の方向に沿って移動して、前記カバー体は前記第二の位置から前記第三の位置に到達することができることを特徴とする請求項３に記載の電気コネクタ。
【請求項７】
前記制限装置の前記第三の要素は、前記絶縁性ハウジングの前記第一の横側面から突出する第三の位置決め装置であって、前記第四の要素は、前記絶縁性ハウジングの前記前端に近接して開口端を有する溝として形成される第三の係合部であって、
前記カバー体が前記第二の位置から前記第三の位置に到達した時に、前記開口端は、前記第三の係合部に固定係合するように前記第三の位置決め装置を収容することを特徴とする請求項３に記載の電気コネクタ。
【請求項８】
前記制限装置の前記第三の要素は、前記絶縁性ハウジングの前記第一の横側面から突出する第四の位置決め装置を有しており、該第四の位置決め装置はブロッキング側面を有し、前記第四の要素は、前記カバー体の前記第一の側壁に配置される第四の係合部であって、該第四の係合部は当接側面を有し、
前記カバー体が前記第二の位置から前記第一の位置に回転した時に、前記当接側面は前記ブロッキング側面に対して当接するように前記カバー体とともに移動し、前記カバー体の前記上壁が前記絶縁性ハウジングの前記接合面の方へ移動するのが制限されることを特徴とする請求項３に記載の電気コネクタ。
【請求項９】
各前記導線性端子の前記コンタクト部と前記接続部との間に保持装置が設けられ、該保持装置は、対応する一つの前記通路の壁面に係合する一つ以上の顎部を有することを特徴とする請求項２に記載の電気コネクタ。
【発明の詳細な説明】
【０００１】
【発明の属する技術分野】
この発明は、電気コネクタに関するもので、特にチップを有する電子カードを挿入する携帯電話用の電気コネクタに関するものである。
【０００２】
【従来の技術】
デジタル携帯電話装置は、秘密情報保持の安全性や、伝送音声またはグラフィックへの伝送信号のデジタル化の高品質により、ほとんどアナログ携帯電話装置に取って代わっている。各ユーザをデジタル携帯電話装置で認識するために、携帯電話は少なくとも一つのＳＩＭ（加入者識別モジュール）カードと接続される。ＳＩＭ電子カードは、個人識別番号（ＰＩＮ）データを記憶するチップを有している。チップには電子カードの側面に複数の電気コンタクトが形成されており、携帯電話の回路基板は、電子カードを携帯電話内に挿入した後に電子カードのチップが携帯電話の回路基板に電気接合してデータを伝送することができるように、電子カードと接続するために、電気コネクタを有していなければならない。
【０００３】
図１について説明すると、電子カード４と接続される従来の電気コネクタ３が図示されている。コネクタ３は、六つの端子通路３３が形成されている上側の接合面３１と、端子通路３３にそれぞれ収容される六本の導電性端子３２を有している。導電性端子３２は、コネクタ３の接合面３１から弾性的に突出して電子カード４の六つの電子コンタクト４１にそれぞれ電気接合するコンタクト部３２１と、携帯電話の回路基板５に溶接される係合部を有している。組み立て時に、電子カード４は、まず（図示しない）収容ユニット内に挿入される。次に、回動の要領で、六つの電気コンタクト４１を有する電子カード４の側面が電子コネクタ３の接合面３１に対して押し付けられ、電気コンタクト４１は電気接続を形成するように導電性端子３２のコンタクト部３２１と直接接触する。しかしながら、このような直接に押し付けられる接続によって、各コンタクト４１と導電性端子３２の対応するコンタクト部３２１との間に比較的小さな二地点間接触面が形成されるため、電気コンタクト４１または導電性端子３２のコンタクト部３２１が塵または他の汚染物質で汚れている場合には、不良な電気接合が生じる。これは、不安定な電気接続の原因となり、電子カード４のチップに記憶されているデータを正確に読むことができないため、携帯電話を使用できなくする可能性がある。
【０００４】
図２について説明すると、上述した欠点を回避するために、もう一つの従来の電気コネクタ３が提案されている。電子コネクタ３は、導電性端子３２のコンタクト部３２１と接合するように、電気コネクタ３の接合面３１の方へ電子カード４を案内する（図示しない）ガイド溝が設けられている二つの横側面を有している。電子カード４の水平運動によって、電子カード４の電気コンタクト４１と導電性端子３２のコンタクト部３２１は、電子カード４が配置されるまで互いに対して摩擦接合されるため、電気コンタクト４１と導電性端子３２のコンタクト部３２１との間でより優れた電気接続が行われ、不良な電気接合の問題を回避することができる。電気コネクタ３がその使用目的を達成したとしても、電子カード４の電気コンタクト４１と導電性端子３２のコンタクト部３２１との間の摩擦接合が比較的長い距離に沿って行われ、電気コンタクト４１とコンタクト部３２１は、特に電子カード４が取り替えのために頻繁に取り出される場合に消耗しやすい。
【０００５】
【発明が解決しようとする課題】
従って、本発明の主な目的は、電子カードとより確実な電気接合を行う電気コネクタを提供することにある。
【０００６】
【課題を解決するための手段】
本発明によれば、電気コネクタは、絶縁性ハウジングと、複数の導電性端子と、カバー体と、保持装置と、任意に少なくとも一つの制限装置で構成されている。本発明の電気コネクタを介して、複数の電気コンタクトを有する電子カードを回路基板に電気接続することができる。
【０００７】
絶縁性ハウジングは、電子カードと接合する接合面と、回路基板と接続する接続面と、対向する第一および第二の横側面を有している。さらに、絶縁性ハウジングは、接合面と接続面との間に配置される複数の端子通路を有しており、第一の方向と第一の方向に対して角度をなす第二の方向を規定している。
【０００８】
各導電性端子は、通路の内側にそれぞれ収容され、コンタクト部と係合部を有している。コンタクト部は、絶縁性ハウジングの接合面から突出し、係合部は絶縁性ハウジングの接続面から突出して回路基板に電気接続する。
【０００９】
カバー体は、絶縁性ハウジングに回動可能に取り付けられ、絶縁性ハウジングの接合面と協働して電子カードを挿入する収容スペースを規定する。
保持装置は、絶縁性ハウジングに配置される第一の要素と、カバー体に対応して配置される第二の要素を有している。第一の要素と第二の要素は、カバー体が絶縁性ハウジングに対して第二の方向に沿った第一の位置と第一の方向に沿った第二の位置との間で回動することができるように可動に係合する。
【００１０】
制限装置は、絶縁性ハウジングに配置される第三の要素と、カバー体に配置される第四の要素で構成されている。カバー体が第一と、第二と、第三の位置にある時に、カバー体は第三および第四の要素の相互干渉を介して位置決めされ、導電性端子のコンタクト部に対して電子カードのコンタクトを押し付けて、摩擦作用に続いて電気接続を形成する。
【００１１】
本発明の構造および動作の機構および要領は、そのさらなる目的と利点とともに、同様の参照符号が同様の構成要素に付されている添付図面とともに以下の説明を参照することによって最も良く理解されるであろう。
【００１２】
【発明の実施の形態】
本発明は、異なる形状の実施例に影響されやすい可能性があるが、ここに開示されていることは発明の原理の例示と考えられるべきものであって、本発明を以下に図示して説明されているものに限定しようとするものではないという理解の下で、特定の実施例について図面に示して以下に詳細に説明する。
【００１３】
図３乃至図７について説明すると、絶縁性ハウジング１１と、複数の導電性端子１２と、カバー体１５で構成されている本発明による実施例の電気コネクタ１が示されている。電気コネクタ１を（図示しない）回路基板と電子カード２に電気接続することができる。電子カード２は、複数の電気コンタクト２１が形成されている側面を有している。
【００１４】
絶縁性ハウジング１１は、前端１１０１と後端１１０２を有している。第一の方向１１０３は、前および後端１１０１、１１０２を貫通して延びる仮想線によって定義されている。絶縁性ハウジング１１は、電子カード２と接合する接合面１１３と、回路基板と接続する接続面１１４と、対向する第一および第二の横側面１１１、１１２と、前端面１１５と、後端面１１６を有している。さらに、絶縁性ハウジング１１は六つの端子通路１１７を有しており、そのうち三つの端子通路は接合面１１３と接続面１１４を介して前端面１１５から後ろ向きに延び、他の三つの端子通路は接合面１１３と接続面１１４を介して後端面１１６から前向きに延びている。
【００１５】
各導電性端子１２は、垂直保持部１２３と、保持部１２３の一端から遠方へ水平に延び次に前方向上向きに折れ曲がるコンタクト部１２１と、保持部１２３の他端から下向きに斜めに延びる接続部１２２を有している。保持部１２３は、一つ以上の顎部１２３１が設けられている両側面を有している。各導電性端子１２は、絶縁性ハウジング１１の端子通路１１７のそれぞれ一つに配置され、顎部１２３１を通路１１７の壁面と摩擦係合させることによって通路内に保持される。各導電性端子１２のコンタクト部１２１は、絶縁性ハウジング１１の接合面１１３から突出し、接続部１２２は絶縁性ハウジング１１の接続面１１４から突出して回路基板と電気接続する。
【００１６】
導電性端子１２のコンタクト部１２１は、電子カード２の各電気コンタクト２１と接合し、導電性端子１２の接続部１２２は回路基板に溶接されるため、対向する上側および下側の力が導電性端子１２の保持部１２３に付与される。従って、保持部１２３が、折り曲げられ外向きに突出する可能性がある。しかしながら、各導電性端子１２の両側面の顎部１２３１が対応する端子通路１１７の壁面に係合するため、保持部１２３が外向きに突出することが防止される。
【００１７】
カバー体１５は金属で形成され、上壁１５３と、二つの対向する第一および第二の側壁１５１、１５２を有している。カバー体１５は、保持装置により絶縁性ハウジング１１に回動可能に取り付けられる。保持装置は、絶縁性ハウジング１１に設けられている第一の要素と、カバー体１５に設けられている第二の要素で構成されている。第一および第二の要素の組み合わせにより、カバー体１５が絶縁性ハウジング１１に対して回動および移動可能となるように、二つの自由に移動する位置が付与される。本実施例において、第一の要素は二つのガイド孔１１１１、１１２１で構成されている。二つのガイド孔１１１１、１１２１は同じ構造を有しているため、一つのガイド孔１１１１についてのみ以下に説明する。ガイド孔１１１１は、絶縁性ハウジング１１の第一の横側面１１１に形成されており、第一の方向１１０３に沿って延びる一定の長さを有しており、絶縁性ハウジング１１の前端１１０１に近接した第一の端部１１１２と、絶縁性ハウジング１１の後端１１０２に近接した第二の端部１１１３を有している。ガイド孔１１２１は、絶縁性ハウジング１１の第二の横側面１１２に対応して形成されている。第二の要素は、カバー体１５の第一および第二の側壁１５１、１５２からそれぞれ内向きに突出する突出スピンドル１５１１、１５２１で構成されている。
【００１８】
カバー体１５と絶縁性ハウジング１１が組み込まれると、上壁１５３は接合面１１３に対して当接し、第一および第二の側壁１５１、１５２は第一および第二の横側面１１１、１１２にそれぞれ隣接し、突出スピンドル１５１１、１５２１は、カバー体１５が絶縁性ハウジング１１に対して回転できるようにガイド孔１１１１、１１１２にそれぞれ収容される。また、突出スピンドル１５１１は、ガイド孔１１１１の第一と第二の端部１１１２、１１１３の間で移動することができるため（突出スピンドル１５２１とガイド孔１１２１は同様の関係を有している）、カバー体１５は第一の方向１１０３に沿って絶縁性ハウジング１１に対して移動することができる。このように、カバー体１５は、図５に示した第一の位置と、図６に示した第二の位置と、図７に示した第三の位置に移動可能となっている。
【００１９】
図３および図５について説明すると、カバー体１５が第一の位置にある時には、突出スピンドル１５１１はガイド孔１１１１の第二の端部１１１３に位置する（突出スピンドル１５２１と突出スピンドル１５１１との操作上の関係は略同一のものであるため、突出スピンドル１５１１についてのみ以下に説明する）。カバー体１５は、カバー体１５の上壁１５３が傾斜されて絶縁性ハウジング１１の接合面１１３とともに収容スペースを規定するように、絶縁性ハウジング１１の接合面１１３から離間されるまで突出スピンドル１５１１を中心として回転する。上壁１５３の方向は、第二の方向１１０４として規定され、第一の方向１１０３と角度をなしている。ユーザは、携帯電話のＳＩＭチップを有する電子カード２を収容スペースに挿入することができる。電子カード２を収容スペース内に挿入した後に、カバー体１５は突出スピンドル１５１１を中心として再び回転され、絶縁性ハウジング１１の上面に向かって移動し、絶縁性ハウジング１１の接合面１１３に対して電子カード２を押し付ける。カバー体１５は、図６に示した第二の位置に移動される。この時に、電子カード２の電気コンタクト２１は、導電性端子１２のコンタクト部１２１に対して押し付けられる。その後、ユーザはカバー体１５を絶縁性ハウジング１１の前端１１０１の方へ移動させることができる。その結果、カバー体１５の突出スピンドル１５１１は、第一の方向１１０３に沿ってガイド孔１１１１の第二の端部１１１３から第一の端部１１１２に移動され、カバー体１５は第二の位置から第三の位置に移動することができる（図７を参照のこと）。電子カード２は、カバー体１５と同時に移動される。このような動作により、短距離で電子カード２の電気コンタクト２１と導電性端子１２のコンタクト部１２１との間で相対運動が形成され、電気コンタクト２１とコンタクト部１２１が互いに対して拭掃して塵または汚染物質が取り除かれるため、電気接続の信頼性が増大される。従って、本発明は、二地点間接合による従来の電気コネクタにおける不良な電気接合の問題を解決するばかりではなく、もう一つの従来のコネクタにおいて生じている長い摩擦距離による接合点の消耗の問題を解決するものである。本発明の電気コネクタは、より優れた電気接合を提供することができ、その耐用年数を延ばすことができる。電子カード２を取り除く場合には、カバー体１５は第三の位置から第二の位置に後ろ向きに簡単に押され、その後、カバー体１５は第一の位置に持ち上げられる。
【００２０】
カバー体１５は、第一と、第二と、第三の位置との間で位置が変更するため、少なくとも一つの所望の位置でカバー体１５を保持するために少なくとも一つの制限装置が設けられている。本実施例において、制限装置は、絶縁性ハウジング１１に設けられている第三の要素と、カバー体１５に設けられている第四の要素で構成されている。第三の要素を第四の要素に摩擦係合することによって、カバー体１５を一つの所望の位置で保持することができる。第三と第四の要素間の摩擦係合は、種々の形状で設けられる構成とすることができる。幾つかの例について以下に説明する。
【００２１】
図３について説明すると、第三の要素は、絶縁性ハウジング１１の第一の横側面１１１の中央から突出して設けられている逆Ｌ字状の第一の位置決め装置１６１を有している。第一の位置決め装置１６１は、絶縁性ハウジング１１の接合面１１３に近接する第一の側面１６１１と、絶縁性ハウジング１１の接続面１１４に近接する第二の側面１６１２と、絶縁性ハウジング１１の後端１１０２に近接する第三の側面１６１３と、第二及び第三の側面１６１２、１６１３に隣接した切り欠き部１６１４で構成されている。第四の要素は、カバー体１５の第一の側壁１５１に対応して設けられている第一の係合部１７１である。第一の係合部１７１は、絶縁性ハウジング１１の前端１１０１に近接して形成されているノッチ１７１４である。ノッチ１７１４は、絶縁性ハウジング１１の接合面１１３に近接する第一の内側面１７１１と、絶縁性ハウジング１１の接続面１１４に近接する第二の内側面１７１２と、絶縁性ハウジング１１の後端１１０２に近接する第三の内側面１７１３によって規定されている。第三の内側面１７１３は、角係合端１７１５を形成している。
【００２２】
図５に戻って説明すると、カバー体１５が第一の位置にある時に、第一の係合部１７１の角係合端１７１５は、カバー体１５が絶縁性ハウジング１１から離間する方向に回転しないと同時に、カバー体１５が絶縁性ハウジング１１の前端１１０１の方へ傾斜した位置へ移動しないように、第一の位置決め装置１６１の切り欠き部１６１４に係合する。図６に戻って説明すると、カバー体１５が第二の位置にある時に、第一の係合部１７１の第一の内側面１７１１は、第一の位置決め装置１６１の第一の側面１６１１に対して当接し、それによって係止される。従って、カバー体１５の上壁１５３と絶縁性ハウジング１１の接合面１１３は、互いに対してある距離で離間される。カバー体１５が第三の位置（図７を参照）にある時に、第一の係合部１７１の第一の内側面１７１１と、第二の内側面１７１２と、第三の内側面１７１３は、第一の位置決め装置１６１の第一の側面１６１１と、第二の側面１６１２と、第三の側面１６１３に対してそれぞれ当接合する。この状態において、カバー体１５はさらに移動することも、前端の方へ回転することもできない。
【００２３】
第三要素はさらに、接続面１１４に近接する絶縁性ハウジング１１の第一の側面１１１から突出して配置される第二の位置決め装置１６２を有している。第二の位置決め装置１６２は、接続面１１４に近接して第一の方向１１０３に沿って延びるブロッキング側面１６２１を有している。第四の要素はさらに、上壁１５３の端縁から離間する方向にカバー体１５の第一の側壁１５１に対応して配置される第二の係合部１７２を有している。第二の係合部１７２には、第二の位置決め装置１６２のブロッキング側面１６２１に対応する当接側面１７２１が形成されている。カバー体１５が第一の位置から第二の位置に回転した時に、当接側面１７２１は、カバー体１５の移動を制限するようにブロッキング側面１６２１に対して当接することがきる。また、このような動作は、第一の係合部１７１と第一の位置決め装置１６１の効果を強化することができる。カバー体１５が第二の位置から第三の位置に到達した時に、ブロッキング側面１６２１が第一の方向１１０３に平行に延びているため、ブロッキング側面１６２１は第一の方向１１０３に沿って移動するように当接側面１７２１を案内することができる。
【００２４】
第三の要素はさらに、前端１１０１に近接して絶縁性ハウジング１１の第一の側面１１１から突出して配置される第三の位置決め装置１６３を有する構成とすることができるのに対して、第四の要素はさらに、前端１１０１に近接してカバー体１５の第一の側壁１５１に対応して配置される溝として形成される第三の係合部１７３を有する構成とすることができる。第三の係合部１７３には、前端１１０１に近接する開口端１７３１が形成されている。カバー体１５が第二の位置から第三の位置に到達した時に、開口端１７３１は、第三の位置決め装置１６３を第三の係合部１７３内に進入させて固定係合させることができる。この動作は、第一の係合部１７１と第一の位置決め装置１６１の効果をさらに強化することができる。
【００２５】
なおその上に、第三の要素はさらに、後端１１０２に近接して絶縁性ハウジング１１の第一の側面１１１から突出して設けられる第四の位置決め装置１６４を有する構成とすることができる。第四の位置決め装置１６４は、第一の方向１１０３に対して略平行であるが、わずかに下向きに傾斜しているブロッキング側面１６４１を有している。第四の要素はさらに、カバー体１５の突出スピンドル１５１１の下に対応して形成される第四の係合部１７４を有している。第四の係合部１７４は、第一の方向１１０３に平行な当接側面１７４１を有している。カバー体１５が、第二の位置から第一の位置に回転する時に、第四の係合部１７４の当接側面１７４１はカバー体１５とともに移動し、第四の位置決め装置１６４のブロッキング側面１６４１に接合する。ブロッキング側面１６４１は下向きに傾斜しているため、カバー体１６の過度回転を防止することができる。このような動作は、第一の係合部１７１と第一の位置決め装置１６１の効果をさらに強化することができる。本実施例において、第三および第四の要素が複数の相互係合制限装置の組み合わせにより形成されているが、それらの全てが同時に動作する必要はない。装置を選択的に組み合わせるか、または個々に使用することができる。絶縁性ハウジング１１の第二の横側面１１２とカバー体１５の第二の側壁１５２に同様の制限装置を設けることができることや、実際の必要条件に従って変更を行うことができることは明らかである。
【００２６】
上述したように、カバー体１５が第一の位置から第二の位置に回動された時に、電子カード２の電気コンタクト２１が押し付けられて導電性端子１２のコンタクト部１２１と接合することができるように、ユーザによって本発明のカバー体１５を絶縁性ハウジング１１に対して第一の位置と、第二の位置と、第三の位置に移動させることができる。さらに、カバー体１５が第二の位置から第三の位置に移動された時に、カバー体１５は同時に電子カード２を移動させ、電子カード２の電気コンタクト２１と導電性端子１２のコンタクト部１２１が互いに対して短距離の相対運動を介して拭掃して、塵または汚染物質が取り除かれることによって、電気コンタクトの信頼性が増大される。
【００２７】
本発明の好適実施例について図示して説明したが、当業者が添付の請求項の範囲および精神を逸脱することなく本発明の種々の変更を行うことができることは自明である。
【図面の簡単な説明】
【図１】電子カードと共に従来の電気コネクタの斜視図である。
【図２】電子カードと共にもう一つの従来の電気コネクタの斜視図である。
【図３】本発明による実施例の電気コネクタの分解斜視図である。
【図４】導電性端子の絶縁性ハウジング内への組み込み方法を示す実施例の部分分解斜視図である。
【図５】カバー体が第一の位置にある、実施例による装置の斜視図である。
【図６】カバー体が第二の位置にある、実施例のもう一つの斜視図である。
【図７】カバー体が第三の位置にある、実施例のさらにもう一つの斜視図である。
【図１】
2004039623.tif 000003
【図２】
2004039623.tif 000004
【図３】
2004039623.tif 000005
【図４】
2004039623.tif 000006
【図５】
2004039623.tif 000007
【図６】
2004039623.tif 000008
【図７】
2004039623.tif 000009
【外国語明細書】
2004039623.tif 000010
2004039623.tif 000011
2004039623.tif 000012
2004039623.tif 000013
2004039623.tif 000014
2004039623.tif 000015
2004039623.tif 000016
2004039623.tif 000017
2004039623.tif 000018
2004039623.tif 000019
2004039623.tif 000020
2004039623.tif 000021
2004039623.tif 000022
2004039623.tif 000023
2004039623.tif 000024
2004039623.tif 000025
2004039623.tif 000026
2004039623.tif 000027
2004039623.tif 000028
2004039623.tif 000029
2004039623.tif 000030